(57)【要約】      （修正有）【課題】魚釣操作性の向上を図れるとともに、取り付け作業時の位置ずれを抑制できるフックキーパ及びフックキーパ付き釣竿を提供する。【解決手段】フックキーパ６は、竿杆２の外周面２ａ上で軸Ｏ方向に延在する溝７が形成された釣竿に装着されるフックキーパ６であり、釣針を引っ掛けるための係止部１０と、糸巻き部５により竿杆２に固定される固定部２０と、を備え、固定部２０は、溝７内に配置されて軸Ｏ方向に延在し、糸巻き部５に締め付けられる脚部２１と、脚部２１の端から立ち上がり、脚部２１が糸巻き部５から抜けることを防止する返し部２２と、を備えることを特徴とする。【選択図】図２
2019170233.tif 000002
【特許請求の範囲】
【請求項１】
竿杆の外周面に軸方向に延在する溝が形成された釣竿に装着されるフックキーパであり、
釣針を引っ掛けるための係止部と、糸巻き部により前記竿杆に固定される固定部と、を備え、
前記固定部は、前記溝内に配置されて前記軸方向に延在し、前記糸巻き部に締め付けられる脚部と、前記脚部の端から立ち上がり、前記脚部が前記糸巻き部から抜けることを防止する返し部と、を備えることを特徴とするフックキーパ。
【請求項２】
前記脚部は、周方向に分岐する分岐脚部により構成され、
前記溝は、前記脚部に対応して周方向に分岐する分岐溝により構成され、
前記分岐脚部の周方向の幅は、前記分岐溝の周方向の幅よりも狭く形成され、
前記分岐脚部は、前記分岐溝内に配置されて弾性変形により前記分岐溝を挟持することを特徴とする請求項１に記載のフックキーパ。
【請求項３】
前記竿杆には、外周面を周回する周溝が形成され、
前記溝は、前記周溝の底面に形成され、
前記糸巻き部及び前記返し部は、前記周溝内に収容されることを特徴とする請求項１又は請求項２に記載のフックキーパ。
【請求項４】
糸巻き部により固定されたフックキーパを備えたフックキーパ付き釣竿であって、
竿杆の外周面上には、軸方向に延在する溝が形成され、
前記フックキーパは、釣針を引っ掛けるための係止部と、前記竿杆に固定される固定部と、を備え、
前記固定部は、
前記溝内に配置されて前記軸方向に延在し、前記糸巻き部に締め付けられる脚部と、
前記脚部の端から立ち上がり、前記脚部が前記糸巻き部から抜けることを防止する返し部と、を備えることを特徴とするフックキーパ付き釣竿。
【請求項５】
前記脚部は、周方向に分岐する分岐脚部により構成され、
前記溝は、前記脚部に対応して周方向に分岐する分岐溝により構成され、
前記分岐脚部の周方向の幅は、前記分岐溝の周方向の幅よりも狭く形成され、
前記分岐脚部は、前記分岐溝内に配置されて弾性変形により前記分岐溝を挟持していることを特徴とする請求項４に記載のフックキーパ付き釣竿。
【請求項６】
前記竿杆には、外周面を周回する周溝が形成され、
前記溝は、前記周溝の底面に形成され、
前記糸巻き部及び前記返し部は、前記周溝内に収容されることを特徴とする請求項４又は請求項５に記載のフックキーパ付き釣竿。
【発明の詳細な説明】
【技術分野】
【０００１】
本発明は、フックキーパ及びフックキーパ付き釣竿に関する。
【背景技術】
【０００２】
従来から釣り場の移動時に仕掛けの釣針を固定するための部品として、線材を折り曲げて成るフックキーパが利用されている。このようなフックキーパは、釣針を引っ掛けるための係止部と、竿杆に固定されるための固定部とを備える。また、固定部は、竿杆の外周面上で竿杆の軸方向に延在する脚部と、竿杆の外周面から立ち上がる返し部とを有する。そして、脚部は、糸巻き部（竿杆に巻き付けられた糸）に締め付けられて固定され、返し部は、脚部が糸巻き部から抜けないように規制している（下記特許文献参照）。
【先行技術文献】
【特許文献】
【０００３】
【特許文献１】実開昭５８−１８１２６５号公報
【発明の概要】
【発明が解決しようとする課題】
【０００４】
しかしながら、従来のフックキーパは、固定部が竿杆の外周面上に配置されている。このため、固定部及び糸巻き部は、竿杆の外周面よりも径方向外側に突出し、手指や釣り糸が接触し易く、魚釣操作性の低下の原因となっていた。
また、糸を巻き付けてフックキーパの脚部を固定する際、フックキーパが位置ずれし易く、取り付け作業性が良くなかった。
【０００５】
本発明は、このような課題を解決するために創作されたものであり、魚釣操作性の向上を図れるとともに、取り付け作業時の位置ずれを抑制できるフックキーパ及びフックキーパ付き釣竿を提供することを課題とする。
【課題を解決するための手段】
【０００６】
前記課題を解決するため、本発明のフックキーパは、竿杆の外周面上で軸方向に延在する溝が形成された釣竿に装着されるフックキーパであり、釣針を引っ掛けるための係止部と、糸巻き部により前記竿杆に固定される固定部と、を備え、前記固定部は、前記溝内に配置されて前記軸方向に延在し、前記糸巻き部に締め付けられる脚部と、前記脚部の端から立ち上がり、前記脚部が前記糸巻き部から抜けることを防止する返し部と、を備えることを特徴とする。
又は、前記課題を解決するため、本発明のフックキーパ付き釣竿は、糸巻き部により固定されたフックキーパを備えたフックキーパ付き釣竿であって、竿杆の外周面上には、軸方向に延在する溝が形成され、前記フックキーパは、釣針を引っ掛けるための係止部と、前記竿杆に固定される固定部と、を備え、前記固定部は、前記溝内に配置されて前記軸方向に延在し、前記糸巻き部に締め付けられる脚部と、前記脚部の端から立ち上がり、前記脚部が前記糸巻き部から抜けることを防止する返し部と、を備えることを特徴とする。
【０００７】
前記発明によれば、脚部が溝内に配置されるため、糸巻き部及び返し部の突出量（竿杆の外周面からの突出量）が低減する。よって、糸巻き部及び返し部に手指や釣り糸が接触し難くなり、魚釣操作性が向上する。
また、脚部を溝内に配置すると、脚部が溝内の側面に係止し、フックキーパの位置ずれが抑制される。よって、フックキーパの取り付け作業性が向上するとともに、フックキーパの固定強度が高くなる。
【０００８】
また、前記フックキーパ及びフックキーパ付き釣竿において、前記脚部は、周方向に分岐する分岐脚部により構成され、前記溝は、前記脚部に対応して周方向に分岐する分岐溝により構成され、前記分岐脚部の周方向の幅は、前記分岐溝の周方向の幅よりも狭く形成され、前記分岐脚部は、前記分岐溝内に配置されて弾性変形により前記分岐溝を挟持することが好ましい。
【０００９】
前記構成によれば、脚部を溝内に配置すると、分岐脚部が分岐溝の側面を挟持し、フックキーパを手指で支えなくとも、起立した状態（係止部が周方向に倒れていない状態）が保持される。よって、糸巻き部を形成する作業が更に容易となるとともに、フックキーパの固定強度も更に高くなる。
また、従来の構成によれば、脚部を中心に回動して係止部が周方向に倒れるおそれがあったが、前記構成によれば、脚部を中心に回動し難い。よって、係止部が周方向に倒れることを抑制できる。
【００１０】
また、前記フックキーパ及びフックキーパ付き釣竿において、前記竿杆には、外周面を周回する前記周溝が形成され、前記溝は、前記周溝の底面に形成され、前記糸巻き部及び前記返し部は、周溝内に収容されることが好ましい。
【００１１】
前記構成によれば、竿杆の外周面から糸巻き部及び返し部が突出する突出量が低減するため、糸巻き部及び返し部に手指や釣り糸が更に接触し難くなり、魚釣操作性が向上する。
【発明の効果】
【００１２】
以上から、本発明によれば、魚釣操作性の向上を図れるとともに、取り付け作業時の位置ずれを抑制できるフックキーパ及びフックキーパ付き釣竿を提供することができる。
【図面の簡単な説明】
【００１３】
【図１】第１実施形態に係るフックキーパ付き釣竿において竿元近傍を拡大し、かつ、斜視した拡大斜視図である。
【図２】（ａ）はフックキーパ近傍を上方から視た平面図であり、（ｂ）は図２（ａ）に示すＩＩＢ−ＩＩＢ線で切り、その断面を矢印方向から視た断面図である。
【図３】（ａ）は第２実施形態のフックキーパ近傍を上方から視た平面図であり、（ｂ）は図３（ａ）に示すＩＩＩＢ−ＩＩＩＢ線で切り、その断面を矢印方向から視た断面図である。
【図４】第１変形例のフックキーパ付き釣竿のフックキーパ近傍を上方から視た平面図である。
【図５】第２変形例のフックキーパ付き釣竿のフックキーパ近傍を上方から視た平面図である。
【図６】第３変形例のフックキーパ付き釣竿のフックキーパ近傍を上方から視た平面図である。
【発明を実施するための形態】
【００１４】
以下、本発明の第１、第２実施形態のフックキーパ付き釣竿１について、図面を参照して説明する。
【００１５】
第１実施形態の釣竿１は、管状体である竿杆を複数継ぎ合わせて構成された並継式の釣竿である。竿杆は、繊維強化樹脂シートを芯金に巻回し、加熱工程を経た後に脱芯することで製造された繊維強化樹脂製の竿杆である。なお、本発明の釣竿１は、振出式の釣竿や、一つの竿杆で構成される一本竿であってもよく、釣竿の種類は特に限定されない。
【００１６】
図１に示すように、釣竿１の基部を構成する竿杆（以下、「元竿杆２」という）の外周面２ａには、魚釣用スピニングリール３を固定するための固定装置４や図示しないグリップが設けられている。魚釣用スピニングリール３は釣竿１（元竿杆２）の下側に配置されており、魚釣用スピニングリール３から竿先まで延在する釣り糸１００は、図示しないガイドロッドにより釣竿１の下側に配置されている。
【００１７】
元竿杆２において固定装置４が固定される部位よりも竿先側には、フックキーパ６が設けられている。フックキーパ６は、仕掛けの釣針１０１を固定するためのものであり、糸巻き部５に固定されて元竿杆２の上側面に配置されている。そして、魚釣用スピニングリール３のハンドル操作により釣り糸を張らせると、竿先から折り返してフックキーパ６までに延在する釣り糸１０２は釣竿１の上側に位置するようになり、図示しないガイドロッドへの絡みを防止できる。
なお、糸巻き部５は、巻き糸を軸Ｏ方向（図２（ｂ）参照）にずらしながら元竿杆２の外周面に何重にも巻き付け、その巻き糸に樹脂を塗布して巻き糸を元竿杆２の外周面に固着させることで形成されている。
【００１８】
図２（ｂ）に示すように、元竿杆２の外周面２ａ上で軸Ｏ方向に延在する溝７が形成されている。溝７の深さは、フックキーパ６を構成する後記する線材の直径と略同一に形成されている。
【００１９】
図２（ａ）に示すように、本実施形態の溝７は、上方から視ると略Ｖ字状に形成された分岐溝８により構成されている。
分岐溝８は、周方向に分岐しながらそれぞれ直線状に延出する２つの直線溝８ａ，８ａを備えている。また、直線溝８ａ，８ａの竿元側の端部同士は連続している。一方で、直線溝８ａ，８ａの竿先側の端部同士は、離間して周方向の幅がＬ１となっている。
【００２０】
フックキーパ６は、弾性を有する線材を折り曲げることで形成されている。フックキーパ６は、元竿杆２の外周面２ａ上に配置された係止部１０と、元竿杆２に固定される固定部２０と、を備える。
【００２１】
図２（ｂ）に示すように、係止部１０は、元竿杆２の外周面２ａから径方向外側に延出する第１係止部１１と、第１係止部１１の上端から竿元側へ延出しながら元竿杆２の外周面２ａに近接する第２係止部１２と、第２係止部１２の竿元側の端部から元竿杆２の径方向外側に延びる第３係止部１３と、を備える。なお、第１係止部１１と第２係止部１２との間に形成される角部、及び第２係止部１２と第３係止部１３との間に形成される角部は、湾曲状に形成されている。
【００２２】
第１係止部１１は、釣針１０１（図１参照）を引っ掛ける部位である。第２係止部１２は、第１係止部１１に引っ掛かる釣針１０１が第１係止部１１から抜けることを防止するためのものである。第３係止部１３は、第２係止部１２の竿元側端部と元竿杆２との間に釣針１０１を挿入し易くするためのガイドである。なお、本発明の係止部１０について、釣針１０１を引っ掛けることができれば、その形状について特に限定されない。
【００２３】
図２（ｂ）に示すように、固定部２０は、軸Ｏ方向に延在して糸巻き部５に締め付けられる脚部２１と、脚部２１の端から立ち上がり、脚部２１が糸巻き部５から抜けることを防止する返し部２２と、を備える。
【００２４】
図２（ａ）に示すように、脚部２１は、上方から視ると略Ｖ字状に形成された分岐脚部２３により構成されている。
分岐脚部２３は、周方向に分岐しながらそれぞれ直線状に延出する２つの直線脚部２３ａ，２３ａを備えている。
直線脚部２３ａの軸Ｏ方向の長さは、直線溝８ａの軸Ｏ方向の長さと略同等に形成されており、直線脚部２３ａは直線溝８ａ内に配置されている。
【００２５】
また、２つの直線脚部２３ａ，２３ａの竿先側の端部同士の周方向の幅は、直線溝８ａ，８ａの竿先側の端部同士の幅Ｌ１よりも小さくなるように製造されている。そして、フックキーパ６の取り付けの際、２つの直線脚部２３ａ，２３ａが互いに離間するように変形させて直線溝８ａ，８ａ内に配置している。以上から、分岐脚部２３は、弾性変形により分岐溝８の側面を挟持している（図２（ａ）の矢印参照）
【００２６】
以上、第１実施形態によれば、図２（ｂ）に示すように、竿杆２の外周面２ａから突出している部位は、糸巻き部５及び返し部２２だけであり、脚部２１（分岐脚部２３）は竿杆２の外周面２ａから突出していない。つまり、第１実施形態によれば、溝７（分岐溝８）の深さ分だけ、外周面２ａからの突出量を低減させることができる。このため、従来の竿杆よりも竿杆２の外周面２ａが平滑となり、糸巻き部５及び返し部２２に手指や釣り糸が接触し難く、魚釣操作性が向上する。
【００２７】
また、例えば、係止部１０に釣針１０１が引っ掛けられ、係止部１０が竿先側に引っ張られるような荷重が作用した場合、分岐脚部２３の竿先側の端部が、分岐溝８の竿先側側面８ｂ（図２（ｂ）参照）に係止する。このように、フックキーパ６に軸Ｏ方向又は周方向に荷重が作用した場合、脚部２１（分岐脚部２３）が溝７（分岐溝８）の側面に係止するようになっている。このため、フックキーパ６の固定強度が高い。
また、フックキーパ６の取り付け時において、フックキーパ６の位置ずれを抑制できるため、取り付け作業性が向上する。
【００２８】
また、フックキーパ６の取り付け時、分岐脚部２３が分岐溝８の側面を挟持することで、フックキーパ６が起立した状態を保持することができる。よって、フックキーパ６を手指で支える必要がなくなるため、取り付け作業性が更に向上する。
また、分岐脚部２３が分岐溝８の側面を挟持することにより、フックキーパ６の固定強度も向上する。
【００２９】
なお、従来のフックキーパによれば、係止部に周方向の加重が作用すると、竿杆２の外周面２ａと糸巻き部５との間で回動してしまい、係止部が周方向に倒れることを十分に抑制できなかった。
しかしながら、第１実施形態の脚部２１は、周方向に分岐した分岐脚部２３により構成されているため、従来の脚部よりも回動し難い。よって、係止部１０が周方向に倒れることを抑制することができる。
【００３０】
次に第２実施形態について図３を参照しながら説明する。
図３に示すように、第２実施形態の竿杆２には、第１実施形態で説明した溝７（分岐溝８）の他にさらに、外周面２ａを周回する周溝３０が形成されている。
【００３１】
周溝３０は、軸Ｏ方向（図３（ｂ）参照）の長さが脚部２１（分岐脚部２３）と同じ程度に形成されている。また、周溝３０の底面に、溝７（分岐溝８）が形成されている。
よって、溝７（分岐溝８）内に分岐脚部２３を配置し、糸巻き部５を形成すると、糸巻き部５と返し部２２が周溝３０内に配置される。
このように第２実施形態によれば、糸巻き部５及び返し部２２は、周溝３０内に配置され、竿杆２の外周面２ａから突出しない。よって、外周面２ａから突出する部位を無くすことが出来る。このため、従来の竿杆よりも竿杆２の外周面２ａが平滑となり、糸巻き部５及び返し部２２に手指や釣り糸が接触せず、魚釣操作性が更に向上する。
なお、第２実施形態に関し、特に図示しないが、元竿杆２の外周面の凹凸をなくすため、周溝３０内を埋めるように樹脂材料を充填してもよい。
【００３２】
以上、実施形態について説明したが、本発明は上記した例に限定されない。
本発明において、溝７及び脚部２１は、上記した分岐溝８や分岐脚部２３に限定されない。つまり、溝７及び脚部２１は、上方から視てＩ字状の溝７及び脚部２１であってもよい。
このようなＩ字状の溝７及び脚部２１であっても、脚部２１が溝７内に配置されて糸巻き部５及び返し部２２の突出量が低減する。よって、糸巻き部５及び返し部２２に手指や釣り糸１０２が接触し難くすることができる。更には、脚部２１が溝７内に配置されると、脚部２１が溝７内の側面に係止して位置ずれし難くなる。よって、フックキーパ６の取り付け作業性が向上するとともに、フックキーパ６の固定強度も向上する。
【００３３】
また、実施形態の分岐溝８及び分岐脚部２３は、上方から視てＶ字状に形成されているが、本発明の分岐溝及び分岐脚部はＶ字状のものに限定されない。
例えば、図４に示すように、分岐溝８Ａ及び分岐脚部２３Ａは、上方から視てＵ字状に形成されていてもよい。
または、図５に示すように、分岐溝８Ｂ及び分岐脚部２３Ｂは、上方から視てコ字状に形成されていてもよい。
【００３４】
また、実施形態の分岐溝８は、溝７の軸方向の竿元側端部から分岐しているが、本発明の分岐溝は、図６に示すように、溝７の軸方向中間部から分岐する分岐溝８Ｃであってもよい。同様に、本発明の分岐脚部は、図６に示すように、溝７の軸方向中間部から分岐する分岐脚部２３Ｃであってもよい。
【００３５】
また、実施形態の溝７（分岐溝８）の深さは、脚部２１（分岐脚部２３）を構成する線材の直径と略同一に形成されているが、本発明において、溝の深さは、線材の直径より小さくてもよい。つまり、脚部２１の一部が溝内に配置されるものであってもよい。このような溝であっても糸巻き部５及び返し部２２の突出量を低減でき、かつ、脚部２１の位置ずれを抑制できるからである。
【符号の説明】
【００３６】
１      釣竿
２      元竿杆（竿杆）
５      糸巻き部
６      フックキーパ
７      溝
８      分岐溝
８ａ    直線溝
１０    係止部
２０    固定部
２１    脚部
２２    係止部
２３，２３Ａ，２３Ｂ，２３Ｃ  分岐脚部
２３ａ  直線脚部
３０    周溝
１０１  釣針
【図１】
2019170233.tif 000003
【図２】
2019170233.tif 000004
【図３】
2019170233.tif 000005
【図４】
2019170233.tif 000006
【図５】
2019170233.tif 000007
【図６】
2019170233.tif 000008